(57)【特許請求の範囲】
【請求項１】
枚葉紙を掴むグリッパの動作を印刷時に制御するための印刷用カム面と、胴の回転に伴ってカム面上を走行するカムフォロアとを備えて、カムフォロアの動きによってグリッパを駆動制御するように構成されたグリッパ駆動装置において、
前記印刷用カム面とは別に調整用カム面を備え、該調整用カム面に、印刷時に枚葉紙を受け渡す際のグリッパの姿勢を印刷時における受け渡し位置とは異なる位置において擬似的に再現するための擬似紙受け渡し部が設けられ、カムフォロアの当接するカム面が印刷用カム面と調整用カム面とに切り替え可能であることを特徴とするグリッパ駆動装置。
【請求項２】
胴に設けられた軸受け部に回転可能に支持された支軸と、該支軸に固定されたカムレバーとを備え、該カムレバーにカムフォロアが設けられ、カム面の切り替え時に支軸と軸受け部とが一体となって移動する請求項１記載のグリッパ駆動装置。
【請求項３】
胴の外周面には、該外周面の他の領域と分離された分離可動部が設けられ、該分離可動部の内側に軸受け部が設けられ、カム面の切り替え時に分離可動部と軸受け部とが一体となって移動する請求項２記載のグリッパ駆動装置。
【発明の詳細な説明】
【０００１】
【発明の属する技術分野】
本発明は、グリッパ駆動装置に関し、特に、枚葉紙の受け渡しのタイミングの調整に関する。
【０００２】
【従来の技術】
一般に、印刷用紙として枚葉紙を使用するオフセット枚葉印刷機においては、各種の胴に枚葉紙の端部を咥えるグリッパが設けられている。
例えば、図１に示すような片面印刷と両面印刷とが切り替え可能な両面印刷機は、給紙部１、印刷部２及び排紙部３から構成され、印刷部２は二つの印刷ユニット４，５を備えている。両印刷ユニット４，５間には、引き渡し胴８（第一の渡し胴）と貯え胴９（第二の渡し胴）と反転胴１０からなる紙受け渡しユニットが設けられ、該紙受け渡しユニットによって上流側の印刷ユニット４の圧胴６から下流側の印刷ユニット５の圧胴７に枚葉紙が受け渡される。具体的には、両面印刷時には、上流側の印刷ユニット４で一方の面が印刷された後、紙受け渡しユニットの反転胴１０によって表裏反転されて下流側の印刷ユニット５に受け渡されて、残る他方の面が印刷される。また、片面印刷時には、紙受け渡しユニットでは表裏反転されないために、両印刷ユニット４，５で片面のみが多色刷りされる。尚、図１の印刷機の場合、両面印刷時には両面共に二色ずつ印刷され、片面印刷時には片面が合計四色刷りされる。
【０００３】
このような構成の印刷機においては、両圧胴６，７と引き渡し胴８と貯え胴９にはそれぞれ爪座（爪台）と共に枚葉紙の前端部を咥える片爪タイプのグリッパ１１が設けられ、反転胴１０には反転グリッパ１３が設けられている。該反転グリッパ１３は、親爪と子爪とで枚葉紙を咥える両爪タイプのグリッパであり、片面印刷時には枚葉紙の前端部を咥える一方、両面印刷時には枚葉紙の後端部を咥えて表裏反転させる。
【０００４】
具体的には、片面印刷時には、図８（ロ）に示すように、反転グリッパ１３は、貯え胴９と反転胴１０との対接点において、爪の先端が反転胴１０の回転方向後方を向いた姿勢のもとに貯え胴９のグリッパ１１から枚葉紙の前端部を咥えて受け取る。そして、その姿勢を維持しながら反転胴１０と共に矢印Ｐ方向に回転し、反転胴１０と下流側の圧胴７との対接点において枚葉紙を圧胴７に引き渡す。その後、反転胴１０の回転方向前方側に向けて一旦所定角度旋回した後、貯え胴９との対接点の手前で逆に反転胴１０の回転方向後方側に向けて旋回して、貯え胴９との対接点において枚葉紙の前端部を咥える。その一方、両面印刷時には、図８（イ）に示すように、反転グリッパ１３は、貯え胴９との対接点において、爪の先端が反転胴１０の回転方向前方を向いた姿勢のもとに、貯え胴９の紙吸着装置１２に吸着保持された枚葉紙の後端部を咥える。そして、反転胴１０の回転に合わせて反転胴１０の回転方向後方側に向けて略１８０度旋回して枚葉紙を表裏反転させた後、圧胴７との対接点で枚葉紙を引き渡す。その後、反転グリッパ１３は、貯え胴９との対接点で再び爪の先端が反転胴１０の回転方向前方側を向くように、圧胴７との対接点から貯え胴９の対接点までの間に反転胴１０の回転方向前方側に向けて略１８０度旋回する。
【０００５】
このような反転グリッパ１３を駆動制御するグリッパ駆動装置としては、例えば、特公昭５６−２０１７号公報所載のものが公知である。図９に示すように、反転グリッパ１３は駆動軸２４に装着されていて駆動軸２４を中心として回動することにより、開閉動作や旋回動作を行う。即ち、グリッパ駆動装置は、駆動軸２４の端部に取り付けられたピニオン２９と、該ピニオン２９に噛合する歯部３１ａを有するセグメントギア３１（駆動ギア）とを備えている。該セグメントギア３１は、反転胴１０の端面に軸支されたギア軸４０を中心として回動可能に設けられている。そして、該セグメントギア３１にはカムフォロア３５が取り付けられていて、フレーム（図示せず）の内側に固定された円盤状のカム部材（図示せず）のカム面３３ａ上をカムフォロア３５が反転胴１０の回転に応じて走行することによって、セグメントギア３１がギア軸４０を中心に揺動する。このようにセグメントギア３１が揺動することによって駆動軸２４が所定角度回転し、反転グリッパ１３は上述のような開閉動作や旋回動作を行う。
【０００６】
上述したように両面印刷時と片面印刷時とで反転グリッパ１３の動作は異なるため、グリッパ駆動装置は両面印刷用カム面と片面印刷用カム面とを備えており、カムフォロア３５の当接するカム面を切り替えることによって印刷状態に応じて反転グリッパ１３を駆動制御する。
【０００７】
ところで、このような各種のグリッパにおいては、枚葉紙を受け渡す際のタイミングが重要となる。即ち、上流側の胴から枚葉紙を受け取る時と、下流側の胴に枚葉紙を引き渡す時のタイミングが重要である。この受け渡しのタイミングにずれがあると受け渡し不良が生じるおそれがあるため、タイミングにずれがある場合にはその調整が必要となる。また、グリッパは胴の軸線方向に沿って間隔をおいて並設されているため、各グリッパが一斉に開閉して枚葉紙の受け渡しを行うようにグリッパ毎にタイミングを調整する必要がある。
【０００８】
このような受け渡しのタイミングの調整は、受け渡し位置、即ち、受け取り位置と引き渡し位置におけるグリッパの爪の間のギャップを調整することによって行われる。このグリッパの爪の間のギャップとは、片爪タイプの場合には爪と爪座（爪台）との間のギャップであり、両爪タイプの場合には両爪間のギャップである。例えば、両爪タイプの場合、受け取り位置における両爪間のギャップが所定値よりも大きい場合には、枚葉紙を受け取るタイミングは正規のものよりも遅くなり、逆にギャップが所定値よりも小さい場合には、枚葉紙を受け取るタイミングは正規のものよりも速くなる。従って、受け渡し位置においてギャップが所定値になるように調整することが必要になる。
【０００９】
このギャップ調整には、一般に基準紙と呼ばれる所定厚さ（例えば厚さ０．０８ｍｍ）の枚葉紙が使用される。両爪タイプの場合を例にすると、受け渡し位置においてこの基準紙を両爪間に挿入することにより、受け渡し位置におけるギャップが基準紙の厚さと略同じになるように調整する。このギャップ調整は、受け取り位置と引き渡し位置のうちの何れか一方で行えばよく、一般には紙送りに沿って上流側から順に受け渡しのタイミングを調整していくため、受け取り位置側で行われる。
【００１０】
例えば、上述したような反転グリッパ１３の場合には、貯え胴９との対接点において貯え胴９のグリッパ１１から枚葉紙を受け取るが、この貯え胴９からの受け取り位置において上記基準紙を使用して反転グリッパ１３の両爪間のギャップを調整する。
【００１１】
【発明が解決しようとする課題】
しかしながら、貯え胴９との対接点付近は、貯え胴９と反転胴１０の間に調整用の工具を入れるための空間が狭いために、本来的に作業を行いにくい箇所である。そのうえ、図１からもわかるように、貯え胴９からの受け取り位置は印刷機の下部に位置するため、作業者は反転胴１０の下側に潜り込むようにしてギャップ調整作業を行わねばならない。従って、受け取り位置におけるギャップ調整には極めて大きな労力が必要となる。
【００１２】
このような作業負担を軽減させるために、カム面の形状を工夫することにより、実際の受け取り位置とは異なる別の位置において反転グリッパ１３が枚葉紙を受け取る姿勢を擬似的に再現するようにして、その位置でギャップ調整を行うことが考えられる。
【００１３】
具体的には、圧胴７への引き渡し位置から貯え胴９からの受け取り位置までの間に、反転グリッパ１３が受け渡し位置と同じ姿勢をとる擬似紙受け渡し位置を設ける。そのため上記カム面には、圧胴７への引き渡し位置に対応した部分と貯え胴９からの受け取り位置に対応した部分の他に、それらの部分におけるカムフォロアの変位量と同じ変位量を有する部分を別途形成し、その擬似紙受け渡し位置に対応した部分にカムフォロアを当接させ、その状態で反転グリッパ１３のギャップを調整するのである。
【００１４】
このように、印刷時において枚葉紙を受け渡す際のグリッパの姿勢を受け渡し位置とは別の位置において擬似的に再現するための擬似紙受け渡し部をカム面に形成することにより、作業し易い擬似紙受け渡し位置でギャップ調整を行うことができるため、作業性が改善される。
【００１５】
しかしながら、一つのカム面に擬似紙受け渡し部を形成することはカム面の設計上容易ではないという問題がある。特に、反転グリッパ１３は両爪タイプであってその旋回中心が反転胴１０の外周面上に略位置するため、引き渡し位置から受け取り位置までの間における動作が通常の片爪タイプのグリッパに比して大きくなるという特性があり、反転グリッパ用のカム面は、片爪タイプのグリッパ用のカム面によりもその形状が複雑となる。そのため、片爪タイプのものよりも複雑なカム面に、更に擬似紙受け渡し部を設けることは実際上極めて困難である。また、周方向に間隔をおいて複数箇所にグリッパが配置されている胴、即ち、倍胴以上の胴の場合には、グリッパの配置個所の数に対応してカムフォロアも複数必要となり、一つのカム面を複数のカムフォロアが同時に走行することになる。従って、単胴の場合のカム面よりもカム面の設計に制約が多くなり、その場合も一つのカム面に擬似紙受け渡し部を別途形成することは非常に困難となる。
【００１６】
何れにしても、印刷時にグリッパの動作を制御するための印刷用カム面に、擬似紙受け渡し部を追加して設けることはカム面の設計が容易ではないという問題がある。
【００１７】
それゆえに本発明は上記従来の問題点に鑑みてなされ、枚葉紙の受け渡しのタイミングの調整を容易に行うことができ、且つ、印刷時にグリッパの動作を制御するための印刷用カム面の設計が容易なグリッパ駆動装置を提供するを課題とする。
【００１８】
【課題を解決するための手段】
本発明は、上記課題を解決すべくなされたものであり、本発明に係るグリッパ駆動装置は、枚葉紙を掴むグリッパの動作を印刷時に制御するための印刷用カム面と、胴の回転に伴ってカム面上を走行するカムフォロアとを備えて、カムフォロアの動きによってグリッパを駆動制御するように構成されたグリッパ駆動装置において、前記印刷用カム面とは別に調整用カム面を備え、該調整用カム面に、印刷時に枚葉紙を受け渡す際のグリッパの姿勢を印刷時における受け渡し位置とは異なる位置において擬似的に再現するための擬似紙受け渡し部が設けられ、カムフォロアの当接するカム面が印刷用カム面と調整用カム面とに切り替え可能であることを特徴とする。
【００１９】
特に、胴に設けられた軸受け部に回転可能に支持された支軸と、該支軸に固定されたカムレバーとを備え、該カムレバーにカムフォロアが設けられ、カム面の切り替え時に支軸と軸受け部とが一体となって移動することが好ましい。
【００２０】
更に、胴の外周面には、該外周面の他の領域と分離された分離可動部が設けられ、該分離可動部の内側に軸受け部が設けられ、カム面の切り替え時に分離可動部と軸受け部とが一体となって移動することが好ましい。
【００２１】
【発明の実施の形態】
以下、本発明の一実施形態について図面を参酌しつつ説明するが、上記従来のものと同様の構成部分については重複した説明を省略し、また、実質的に同一の機能を有する部分については同一符号を付している。
【００２２】
図１において上下両圧胴６，７は共に倍胴であって、引き渡し胴８と反転胴１０も倍胴であり、貯え胴９は三倍胴となっている。従って、貯え胴９には、グリッパ１１と紙吸着装置１２がそれぞれ略１２０度間隔をおいて合計三つずつ配置され、引き渡し胴８には、枚葉紙の前端部を掴むグリッパ１１が略１８０度対向して配置され、反転胴１０には、片面印刷時に枚葉紙の前端部を、両面印刷時に枚葉紙の後端部をそれぞれ掴む反転グリッパ１３が略１８０度対向して配置されている。
【００２３】
図２に示す反転胴１０は、回転軸２０と一体となって回転する構成であって、その回転軸２０は左右両フレーム２１，２２に軸受け２３を介して回転可能に支持されている。該反転胴１０は、反転グリッパ１３が装着された駆動軸２４を略１８０度対向した位置に一対備えている。図２のように駆動軸２４は反転胴１０の回転軸２０と平行であり、その軸線方向に沿って反転グリッパ１３は間隔をおいて複数並設されており、各反転グリッパ１３は一斉に同一の動作を行う。
【００２４】
かかる反転グリッパ１３は、図７に示すように親爪２５と子爪２６の協働によって枚葉紙を掴む構成となっている。そして、駆動軸２４は、爪管２７と該爪管２７に同軸状に挿入された爪軸２８とから構成されている。爪管２７は子爪２６を駆動制御するためのもので爪軸２８は親爪２５を駆動制御するためのものであり、従って、親爪２５は爪軸２８に固定され、子爪２６は爪管２７に固定されている。但し、逆に固定されていてもよい。
【００２５】
図２のように、爪管２７の一端部（図中左端）と爪軸２８の他端部（図中右端）にはそれぞれピニオン２９，３０が取り付けられ、各ピニオン２９，３０は、反転胴１０の両端部にそれぞれ設けられたセグメントギア３１，３２（駆動ギア）と噛合している。即ち、反転胴１０の一端側（図中左端）に子爪２６を駆動制御するためのグリッパ駆動装置が設けられ、反転胴１０の他端側（図中右端）には親爪２５を駆動制御するためのグリッパ駆動装置が設けられている。尚、子爪２６用のグリッパ駆動装置と親爪２５用のグリッパ駆動装置とはカム部材３３，３４を除いてほぼ同様の構成であるため、以下、子爪２６用のグリッパ駆動装置について主に説明する。
【００２６】
図３には、子爪２６用のグリッパ駆動装置が示されている。この反転胴１０は倍胴であって駆動軸２４が略１８０度対向して一対設けられている。そのため、反転グリッパ１３を駆動軸２４毎に各々独立して駆動制御するように、子爪２６用のカムフォロア３５やセグメントギア３１等は、反転胴１０の中心に対して点対称の位置関係となるように、略１８０度対向して一対設けられている。
【００２７】
セグメントギア３１は、略９０度の扇状に形成されていてその外周にピニオン２９と噛合する歯部３１ａを有している。該セグメントギア３１は駆動軸２４と平行なギア軸４０に固定され、ギア軸４０は反転胴１０の端面に回転可能に支持されている。従って、セグメントギア３１はギア軸４０を中心としてギア軸４０と一体となって所定角度範囲内で揺動するように回動する。尚、ギア軸４０は駆動軸２４と反転胴１０の中心とを結ぶ線上に配置されている。
【００２８】
一方、カムフォロア３５は、ギア軸４０と平行に配置されたレバー軸４１（支軸）に固定されたカムレバー４２の先端部に設けられている。該レバー軸４１は、反転胴１０に回転可能に支持されており、該レバー軸４１を支点としてカムレバー４２はレバー軸４１と一体となって回動する。このようにカムフォロア３５はセグメントギア３１から分離されてセグメントギア３１とは異なる支軸を中心として回動するカムレバー４２に設けられている。そのため、カムレバー４２の動作をセグメントギア３１に伝達するための伝達手段が設けられている。即ち、伝達手段として、レバー軸４１とギア軸４０との間には、二つのアーム部材４３，４４が設けられている。一方のアーム部材４３は、ギア軸４０に固定されてギア軸４０を支点として回動し、その先端部にはカム面４３ａが形成されている。他方のアーム部材４４は、レバー軸４１に固定されてレバー軸４１を支点として回動し、その先端部には一方のアーム部材４３のカム面４３ａに当接するローラ４５が取り付けられている。即ち、両アーム部材４３，４４からカム機構が構成されており、該カム機構を介してカムレバー４２の動作がセグメントギア３１に伝達される。
【００２９】
尚、カムフォロア３５の動作は、カムレバー４２、両アーム部材４３，４４によって所定の倍率に増幅されてセグメントギア３１に伝達される。
【００３０】
また、この子爪２６用のギア軸４０は、反転胴１０の反対側の端面に配置された親爪２５用のグリッパ駆動装置におけるギア軸（図示省略）と同軸状に配置されており、両ギア軸間には捻りバネとしてのトーションバー（図示省略）が接続されている。そして、トーションバーのバネ力によって、ローラ４５と一方のアーム部材４３のカム面４３ａとの接触状態が維持され、また、カムフォロア３５，３６はカム部材３３，３４のカム面に押し付けられる。
【００３１】
尚、反転胴１０の回転方向は図３に示す矢印Ｐ方向である。従って、子爪２６側のカムフォロアは、反転グリッパ１３に対して反転胴１０の回転方向前方側に位置する。逆に、親爪２５側のカムフォロアは、反転グリッパ１３に対して反転胴１０の回転方向後方側に位置する。
【００３２】
次に、カム部材について説明する。左右両フレーム２１，２２の内側にはそれぞれ子爪２６用のカム部材３３と親爪２５用のカム部材３４が設けられている。これらのカム部材３３，３４の外周面には、片面印刷用のカム面３３ａ，３４ａと両面印刷用のカム面３３ｂ，３４ｂとが、反転胴１０の軸線方向に沿って並設されている。そして、両面印刷と片面印刷との切り替えに際して、両カム部材３３，３４を反転胴１０の軸線方向に沿って移動させることにより、カムフォロア３５，３６が当接するカム面を切り替えるようになっている。このカム部材３３，３４の移動は例えばエアシリンダ等の公知の駆動手段によって行われる。このように、カムフォロア３５，３６が当接するカム面を切り替えることによって、片面印刷と両面印刷とで異なる駆動制御を行う。尚、子爪２６用のカム部材３３においては、片面印刷用カム面３３ａが両面印刷用カム面３３ｂの軸線方向外側に位置するのに対して、親爪２５用のカム部材３４においては、逆に、片面印刷用カム面３４ａは両面印刷用カム面３４ｂの軸線方向内側に位置する。
【００３３】
より詳細に説明すると、子爪２６用のカム部材３３を反転胴１０の軸線方向内側から見ると図４（イ）のようになる。カムフォロア３５は反転胴１０の回転に伴ってカム面上を矢印Ｐ方向に走行する。片面印刷の場合、圧胴７への引き渡し位置Ｂにおいてカム面３３ａは最大高さに近い高さとなり、子爪２６は引き渡しの姿勢をとる。その後、カム面３３ａの高さが低くなるのに応じて子爪２６は、一旦、反転胴１０の回転方向前方側に、即ち、爪が開く方向に、トーションバーのバネ力によって旋回する。その後、貯え胴９からの受け取り位置Ａ１に向けてカム面３３ａの高さが徐々に高くなるにつれて子爪２６は爪が閉じる方向に旋回し、受け取り位置Ａ１においてカム面３３ａは最大高さに近い高さとなって子爪２６は受け取りの姿勢をとる。受け取り位置Ａ１から引き渡し位置Ｂの間は、カム面３３ａは最大高さであり、子爪２６は枚葉紙を強く把持した状態を維持する。一方、両面印刷の場合、引き渡し位置Ｂから点Ｃまでは片面印刷のときと同じ姿勢をとるが、点Ｃからは片面印刷のカム面３３ａよりも更にその高さが低くなって受け取り位置Ａ２において最小高さとなり、受け取り位置Ａ２を過ぎると逆に徐々にカム面３３ｂの高さは高くなって、途中の点Ｃで最大高さとなった後に引き渡し位置Ｂまで最大高さが維持される。尚、両面印刷と片面印刷とで受け取り位置が異なるのは、駆動軸２４の位置を基準にしているためである。
【００３４】
一方、親爪２５用のカム部材３４を反転胴１０の軸線方向内側から見ると図４（ロ）のようになる。カムフォロア３６は反転胴１０の回転に伴ってカム面上を矢印Ｐ方向に走行する。片面印刷の場合、受け取り位置Ａ１から引き渡し位置Ｂにかけて、カム面３４ａは最小高さにあってカムフォロア３６はそのカム面３４ａから浮いた状態にある。これは親爪２５は、カム面が所定値よりも低くなるとストッパ６０に当接した状態となるからである。引き渡し位置Ｂを過ぎた後、点Ｃにおいてカム面３４ａは最大高さとなる。点Ｃを境にしてそれ以前では親爪２５はストッパ６０から離れる方向に旋回し、それ以後は逆にストッパ６０に接近する方向に旋回する。一方、両面印刷には、点Ｃ以降更にカム面３４ｂは高くなって受け取り位置Ａ２で最大高さとなった後、徐々にカム面３４ｂの高さは低くなって所定位置（点Ｃ）で最小高さとなって引き渡し位置Ｂとなる。
【００３５】
尚、カム面の切り替えは、両面印刷用カム面と片面印刷用カム面とが同じ高さになったところで行う。具体的には、一つのカム部材につき、カムフォロアが１８０度対向して一対あるので、点Ｃで行う。但し、点Ｄでもよい。
【００３６】
そして、子爪２６用のカム部材３３は、片面印刷用カム面３３ａの軸線方向外側に更に調整用カム面３３ｃを備えている。この調整用カム面３３ｃは、片面印刷時に枚葉紙を受け取る際の反転グリッパ１３の姿勢を、片面印刷時における受け取り位置Ａ１とは異なる位置において擬似的に再現するためのものである。この調整用カム面３３ｃには、片面印刷用カム面３３ａの受け取り位置Ａ１と同じ高さの擬似紙受け渡し部Ｇが設けられている。該擬似紙受け渡し部Ｇは引き渡し位置Ｂから片面印刷時における受け取り位置Ａ１までの間に設けられている。尚、擬似紙受け渡し部Ｇは、点であってもよいが、所定の角度領域を有することが好ましい。
【００３７】
尚、親爪２５用のカム部材３４には調整用カム面は設けられていない。この反転胴１０は、親爪２５を径方向内側から支持するストッパ６０を備えており、片面印刷時の受け取り位置Ａ１では親爪２５はストッパ６０に当接した姿勢をとる。従って、受け取り位置Ａ１における親爪２５の姿勢はカム面３４ａの形状とは無関係にストッパ６０によって決まる。従って、ギャップ調整の際には、親爪２５側のカムフォロア３６をカム部材３４から外してフリー状態とすればよいため、親爪２５用のカム部材３４には調整用カム面が設けられていない。
【００３８】
尚、片面印刷用カム面３３ａから調整用カム面３３ｃへの切り替えは、後述する方法によってカムフォロア３５自体を軸線方向に移動させることにより行う。まず、片面印刷用カム面３４ａの点Ｅにおいて親爪２５側のカムフォロア３６を軸線方向内側に移動させてフリー状態とする。そして、子爪２６側のカムフォロア３５を片面印刷用カム面３３ａの点Ｅにおいて軸線方向外側に移動させて、片面印刷用カム面３３ａから調整用カム面３３ｃ側に移動させる。尚、親爪２５側、子爪２６側共に、カムフォロア３５，３６は点Ｅにおいては片面印刷用カム面３３ａ，３４ａには当接せずに浮いた状態にあるため、楽にカムフォロア３５，３６を移動させることができる。両爪２５，２６は所定角度以上には開くことができない構成となっており、点Ｅにおいては、親爪２５がストッパ６０に当接した状態にあると共に、子爪２６側の片面印刷用カム面３３ａの高さは、最大開き角度に相当する高さよりも更に低くなっているため、点Ｅにおいては子爪２６用のカムフォロア３５は浮いた状態になるのである。
【００３９】
次に、ギャップ調整の際にカムフォロア３５，３６を軸線方向に移動させる方法について説明する。
図５及び図６のように、反転胴１０の外周面には、該外周面の他の領域と分離された分離可動部５０が設けられている。この分離可動部５０の内側にはブラケット５１が固定されており、該ブラケット５１に一対の軸受け部５２が設けられ、該軸受け部５２で前記レバー軸４１が回転可能に支持されている。図５は子爪２６側を示しているが、親爪２５側にも同様に図６に示すように分離可動部５０が設けられている。即ち、反転胴１０の外周面には分離可動部５０が合計四カ所設けられている。分離可動部５０は通常はボルト５３によって反転胴１０の内側壁５４に固定されていて外周面の他の領域と一体となって回転する。
【００４０】
また、反転胴１０の内側壁５４と分離可動部５０との間には、反転胴１０の内側壁５４に回転軸５５が挿入されて内側壁５４に回転可能に支持された円盤状の回転体５６が設けられている。回転軸５５は回転体５６の中心に位置する一方、回転体５６の外面には回転軸５５から偏心した位置に六角ボルト５７がその頭部を突出させるようにして螺着している。そして、分離可動部５０には、周方向に長い長孔５８が貫通形成され、該長孔５８に六角ボルト５７の頭部が係合している。そして、ボルト５３を緩めた状態で、工具を六角ボルト５７の頭部に係入して時計回りの回転トルクを六角ボルト５７に付与すると、回転体５６は回転軸５５を中心として略１８０度回転して、分離可動部５０は図６（イ）の状態から図６（ロ）の状態へと反転胴１０の軸線方向に移動する。上述のように、分離可動部５０の内側には軸受け部５２を介してレバー軸４１が設けられており、従って、分離可動部５０、軸受け部５２、レバー軸４１、カムレバー４２、及びカムフォロア３６は一体となって軸線方向に移動し、親爪２５側のカムフォロア３６は図６（ロ）のようにカム部材３４から軸線方向内側に離反する。移動させた後は、ボルト５３を締め込んで分離可動部５０をその位置に固定させる。子爪２６側も同様であって、親爪２５側のカムフォロア３６を分離可動部５０と共に移動させた後、子爪２６側のカムフォロア３５も分離可動部５０と共に図５（イ）に示す状態から図５（ロ）に示す状態へと軸線方向外側に移動させて調整用カム面３３ｃに対峙させる。
【００４１】
以上のように構成されたグリッパ駆動装置にあっては、擬似紙受け渡し部Ｇを有する調整用カム面３３ｃを別途設けているため、両面印刷用カム面３３ｂや片面印刷用カム面３３ａに擬似紙受け渡し部Ｇを形成する必要がなくなり、両印刷用カム面３３ａ，３３ｂの設計の自由度が高まる。特に、本実施形態のように動きの大きな反転グリッパ１３であって且つ反転胴１０が倍胴であるため、調整用カム面３３ｃを別途設けることの効果は大きい。
【００４２】
また、図８（ロ）の如く擬似紙受け渡し部Ｇが反転胴１０の上部に位置するため、ギャップ調整の作業性が良好となる。
【００４３】
更に、カムフォロア３５，３６を移動させる際に、レバー軸４１とその軸受け部５２とを一体に移動させる構成としているため、カムフォロア３５，３６を移動させることに起因した反転グリッパ１３の動作の変化を防止することができる。軸受け部５２を移動させずにレバー軸４１のみを移動させることも可能であるが、レバー軸４１の軸受け部５２による支持位置が軸線方向に変化することが原因となって、軸受け部５２によるレバー軸４１の支持状態に変化が生じて反転グリッパ１３の動作も変化するおそれがあるため、レバー軸４１と軸受け部５２とを一体的に移動させることが好ましい。
【００４４】
また、分離可動部５０も一体的に移動させる構成としているため作業性が良い。即ち、軸受け部５２は反転胴１０の外周面の内側に位置しているため、一般には外部から軸受け部５２をレバー軸４１と共に移動させることは容易ではないが、分離可動部５０を設けてその分離可動部５０を軸受け部５２と一体に移動させることにより作業性が改善されるのである。
【００４５】
尚、カムフォロア３５，３６を手動にて移動させる構成を説明したが、駆動手段によって自動的に移動させる構成であってもよい。また、カム部材３３，３４側を移動させてもよい。
【００４６】
尚、通常の片爪タイプのグリッパ１１を駆動制御するグリッパ駆動装置にも無論適用可能である。但し、片爪タイプのグリッパ１１よりも両爪タイプの反転グリッパ１３の方が動きが大きいため、反転グリッパ１３用のグリッパ駆動装置において効果が大きい。また、単胴にも適用可能であるが、上述したような倍胴や、三倍胴以上の胴において効果が大きい。
【００４７】
【発明の効果】
以上のように、調整用カム面を印刷用カム面とは別に設けたことにより、印刷用カム面の設計が容易となるうえに、枚葉紙の受け渡しのタイミングを調整するために行うグリッパのギャップ調整作業が容易となる。
【図面の簡単な説明】
【図１】両面印刷機を示す概略正面図。
【図２】同印刷機の反転胴を示す概略平面図。
【図３】同反転胴を軸線方向から見た概略図。
【図４】（イ）は子爪側のカム部材、（ロ）は親爪側のカム部材をそれぞれ示す。
【図５】反転胴の要部断面図であって、（イ）は片面印刷時を示し、（ロ）はギャップ調整時を示す。
【図６】反転胴の要部平面図であって、（イ）は片面印刷時を示し、（ロ）はギャップ調整時を示す。
【図７】反転グリッパを示す断面図。
【図８】反転グリッパの動作を示し、（イ）は両面印刷時を、（ロ）は片面印刷時をそれぞれ示す。
【図９】従来のグリッパ駆動装置を示す概略図。
【符号の説明】
１０…反転胴、１１…グリッパ、１３…反転グリッパ（グリッパ）、３３，３４…カム部材、３３ａ，３４ａ…両面印刷用カム面、３３ｂ，３４ｂ…片面印刷用カム面、３３ｃ…調整用カム面、３５，３６…カムフォロア、４１…レバー軸（支軸）、４２…カムレバー、５０…分離可動部、５１…ブラケット、５２…軸受け部
【図１】
0003698681.tif 000002
【図２】
0003698681.tif 000003
【図３】
0003698681.tif 000004
【図４】
0003698681.tif 000005
【図５】
0003698681.tif 000006
【図６】
0003698681.tif 000007
【図７】
0003698681.tif 000008
【図８】
0003698681.tif 000009
【図９】
0003698681.tif 000010